(57)【要約】【課題】加入者系移動交換機のファイル更新方法に関し、加入者に対するサービスを中断することなく、簡単な処理により加入者系移動交換機のファイル更新を可能にする。【解決手段】基地局１−２１，１−２２，１−２３側の接続形態は従来のままとし、加入者系移動交換局１−１側で基地局接続装置１−１２を２つの加入者系移動交換機１−１１，１−１１’に接続し、基地局接続装置１−１２を、２つ加入者系移動交換機１−１１，１−１１’に二重帰属させる。ファイル更新対象の加入者系移動交換機１−１１の呼処理トラフィックを、二重帰属先の他の加入者系移動交換機１−１１’を経由して転送させ、加入者系移動交換機１−１１の呼処理トラフィックをゼロにした状態で、加入者系移動交換機１−１１のファイル更新を行う。転送経路の切り替えは、呼処理トラフィックを配信するパケットの送信先ＩＰアドレスの切り替えにより行う。【選択図】      図１
2004282550.tif 000002
【特許請求の範囲】
【請求項１】
基地局接続装置を複数の加入者系移動交換機に二重帰属させ、ファイル更新対象の加入者系移動交換機を経由する呼処理トラフィックを、基地局接続装置の二重帰属先の他の加入者系移動交換機を経由する経路に切替えて転送させ、ファイル更新対象の加入者系移動交換機の呼処理トラフィックをゼロとした状態でファイル更新を行うことを特徴とする加入者系移動交換機のファイル更新方法。
【請求項２】
前記呼処理トラフィックを、二重帰属先の他の加入者系移動交換機を経由する経路で転送する切り替えを、該呼処理トラフィックを配信するパケットの送信先ＩＰアドレスの変更により行うことを特徴とする請求項１に記載の加入者系移動交換機のファイル更新方法。
【請求項３】
前記加入者系移動交換機は、自交換機のＩＰアドレスと接続相手先の基地局接続装置のＩＰアドレスとをＩＰアドレス表に保持し、更に、前記二重帰属先の他の加入者系移動交換機のＩＰアドレス表には二重帰属の基地局接続装置のＩＰアドレスを保持し、該二重帰属の基地局接続装置のＩＰアドレスを用いて呼処理トラフィックの経路切り替えを行うことを特徴とする請求項２に記載の加入者系移動交換機のファイル更新方法。
【発明の詳細な説明】
【０００１】
【発明の属する技術分野】
本発明は、加入者系移動交換機のソフトウェアの更新や加入者データ又は局データ等の更新を含むファイルの更新において、加入者に対するサービスを中断することなく、加入者系移動交換機のファイルを更新する加入者系移動交換機のファイル更新方法に関する。
【０００２】
【従来の技術】
加入者系移動交換機のファイルを旧ファイルから新ファイルへ更新する際に、加入者に対するサービスの中断が伴う。これは旧ファイルから新ファイルへの更新時に、加入者系移動交換機の再開処理を行う必要があり、再開処理によりサービスの中断が発生するためである。再開処理には複数の種別の段階があり、新規の発呼を受け付けないＰＨＡＳＥ−１再開処理、更に通信中の呼の切断を伴うＰＨＡＳＥ−２再開処理等がある。
【０００３】
加入者に対するサービス中断を発生させることなく、ファイル更新を行う手段は、以下の特許文献に記載されているが、何れも、交換機における二重化された運用系／待機系プロセッサの役割変更、或いはマルチプロセッサシステムにおけるプロセッサの役割変更により、待機系の装置を利用してサービス中断することなくファイル更新を行うものである。
【０００４】
【特許文献１】
特開平８−２４２４７４号公報
【特許文献２】
特開平６−３１９１６３号公報
【特許文献３】
特開平６−１４３５５号公報
【特許文献４】
特許第３５８３９８７号公報
【０００５】
【発明が解決しようとする課題】
従来の加入者系移動交換機のファイル更新は、移動加入者に対するサービス中断が発生するため、交換機のファイル更新は、呼処理トラフィックの最も少ない深夜の時間帯（例えば、午前４時前後など）に作業を実施していた。しかし、例えばＰＤＣ−Ｐ（Ｐｅｒｓｏｎａｌ  Ｄｉｇｉｔａｌ  Ｃｅｌｌｕｌａｒ−Ｐａｃｋｅｔ）システムの場合、全国でパケット系加入者系移動交換機は４００ユニット程度存在し、それらのファイル更新の深夜帯作業量は膨大なものであった。
【０００６】
また、プロセッサの待機系を利用して加入者に対するサービス中断を発生させることなく加入者系移動交換機のファイル更新を行うには、運用系／待機系プロセッサの役割変更等の複雑な処理を伴うものであった。
【０００７】
本発明は、加入者に対するサービス中断を発生させることなく、また、プロセッサの運用系／待機系の切替え等の複雑な処理を行うことなく、呼処理トラフィックの高い昼間の時間帯でも簡単な処理により加入者系移動交換機のファイル更新を可能とし、ファイル更新作業のコストの低減化を図ることを目的とする。
【０００８】
【課題を解決するための手段】
本発明の加入者系移動交換機のファイル更新方法は、（１）基地局接続装置を複数の加入者系移動交換機に二重帰属させ、ファイル更新対象の加入者系移動交換機を経由する呼処理トラフィックを、基地局接続装置の二重帰属先の他の加入者系移動交換機を経由する経路に切替えて転送させ、ファイル更新対象の加入者系移動交換機の呼処理トラフィックをゼロとした状態でファイル更新を行うことを特徴とする。
【０００９】
また、（２）前記呼処理トラフィックを、二重帰属先の他の加入者系移動交換機を経由する経路で転送する切り替えを、該呼処理トラフィックを配信するパケットの送信先ＩＰアドレスの変更により行うことを特徴とする。
【００１０】
また、（３）前記加入者系移動交換機は、自交換機のＩＰアドレスと接続相手先の基地局接続装置のＩＰアドレスとをＩＰアドレス表に保持し、更に、前記二重帰属先の他の加入者系移動交換機のＩＰアドレス表には二重帰属の基地局接続装置のＩＰアドレスを保持し、該二重帰属の基地局接続装置のＩＰアドレスを用いて呼処理トラフィックの経路切り替えを行うことを特徴とする。
【００１１】
【発明の実施の形態】
図１に本発明による加入者系移動交換局と基地局との接続形態を示す。加入者系移動交換局１−１に収容されている基地局１−２１，１−２２，１−２３は、通常、基地局接続装置１−１２を介して１つの加入者系移動交換機１−１１に接続されている。
【００１２】
本発明において、基地局１−２１，１−２２，１−２３側の接続形態は従来のままとし、加入者系移動交換局１−１側で基地局接続装置１−１２を２つの加入者系移動交換機１−１１，１−１１’に接続し、基地局接続装置１−１２を、２つの加入者系移動交換機１−１１，１−１１’に二重帰属させる。
【００１３】
図２に本発明によるファイル更新時の呼処理トラフィックの転送経路を示す。今、加入者系移動交換機１−１１のファイル更新を行う場合、該ファイル更新対象の加入者系移動交換機１−１１に収容されている基地局１−２１，１−２２，１−２３を経由する呼処理トラフィックを、基地局接続装置１−１２の二重帰属先の他方の加入者系移動交換機１−１１’経由の転送経路で流すように切り替え、ファイル更新対象の加入者系移動交換機１−１１の呼処理トラフィックをゼロにする。
【００１４】
この時点で、移動加入者に対するサービスの影響を与えることなく、加入者系移動交換機１−１１のファイル更新を行うことが可能となり、サービス中断無しに加入者系移動交換機１−１１のファイル更新を実施することができる。
【００１５】
基地局接続装置１−１２と加入者系移動交換機１−１１，１−１１’との間は、ＴＣＰ／ＵＤＰ（Ｔｒａｎｓｍｉｓｓｉｏｎ  Ｃｏｎｔｒｏｌ  Ｐｒｏｔｏｃｏｌ  ／  Ｕｓｅｒ  Ｄａｔａｇｒａｍ  Ｐｒｏｔｏｃｏｌ）インタフェースによりルータを用いて接続し、呼処理トラフィックを二重帰属先の他方の加入者系移動交換機１−１１’経由の経路で流す切り替えは、呼処理トラフィックを配信するパケットのＩＰアドレスの変更により行う。
【００１６】
また、各基地局１−２１，１−２２，１−２３に接続された基地局接続装置１−１２を二重帰属させた２つの加入者系移動交換機１−１１，１−１１’の一方に障害が発生した場合に、他方の加入者系移動交換機を経由する経路に呼処理トラフィックの転送経路を切り替えることにより、移動加入者への影響を与えることなく、障害の発生した加入者系移動交換機の修復を行うことが可能となる。
【００１７】
また、加入者系移動交換機１−１１，１−１１’に比べて設置数がはるかに多い基地局１−２１，１−２２，１−２３側には何も修正を加えることなく、基地局１−２１，１−２２，１−２３を経由する呼処理トラフィックを加入者系移動交換機１−１１，１−１１’に二重帰属させ、呼処理トラフィックの転送経路を切り替えることができる。
【００１８】
【実施例】
図３に本発明によるファイル更新時の呼処理トラフィックの収容替えの実施例を示す。この実施例は、ＰＤＣ−Ｐシステムにおけるパケット系加入者系移動交換機ＰＰＭに適用した実施例である。パケット系加入者系移動交換機ＰＰＭは、関門系移動交換機ＰＧＷからのトラフィックを、基地局接続装置ＰＬＵを介して基地局へ中継し、また、基地局から基地局接続装置ＰＬＵを経由して到来するトラフィックを関門系移動交換機ＰＧＷへ中継する。
【００１９】
基地局接続装置ＰＬＵ０１（１），ＰＬＵ０２（１），ＰＬＵ０３（１）は、同図の（ａ）に示すように、通常、１つのパケット系加入者系移動交換機ＰＰＭ（１）に接続されているが、本発明において、基地局接続装置ＰＬＵ０１（１），ＰＬＵ０２（１），ＰＬＵ０３（１）を、図３（ｂ）に示すように、２つ加入者系移動交換機ＰＰＭ（１），ＰＰＭ（２）に二重帰属させる。なお、以下において、パケット系加入者系移動交換機を単に加入者系移動交換機又は交換機と記す。
【００２０】
加入者系移動交換機ＰＰＭのファイル更新を行う場合、対象となる加入者系移動交換機ＰＰＭ（１）に接続されている基地局接続装置ＰＬＵ０１（１），ＰＬＵ０２（１），ＰＬＵ０３（１）の呼処理トラフィックを、二重帰属の他方の加入者系移動交換機ＰＰＭ（２）に収容替えすることによって、呼処理トラフィックの転送経路を切替え、対象となる加入者系移動交換機ＰＰＭ（１）の呼処理トラフィックをゼロとすることにより、加入者に対するサービスへ影響を与えることなく、昼間の時間帯でも加入者系移動交換機ＰＰＭ（１）のファイル更新を実施することが可能となる。
【００２１】
基地局接続装置ＰＬＵと加入者系移動交換機ＰＰＭとは、ＴＣＰ／ＵＤＰインタフェースによりルータを用いて接続する。基地局接続装置ＰＬＵ０１（１），ＰＬＵ０２（１），ＰＬＵ０３（１）を、２つの加入者系移動交換機ＰＰＭ（１），ＰＰＭ（２）に、物理的に最初から接続して二重帰属させておく。
【００２２】
基地局接続装置ＰＬＵ及び加入者系移動交換機ＰＰＭは、論理的には（ＴＣＰ／ＵＤＰレベルでは）、基地局接続装置ＰＬＵ側は自装置のＩＰアドレスと接続先の相手装置（加入者系移動交換機ＰＰＭ）のＩＰアドレスを管理し、呼処理トラフィックを二重帰属先の他方の加入者系移動交換機ＰＰＭ（２）に収容替えする時点で、接続相手先のＩＰアドレスを、通常の収容先の加入者系移動交換機ＰＰＭ（１）から他の加入者系移動交換機ＰＰＭ（２）のＩＰアドレスに変更する。
【００２３】
加入者系移動交換機ＰＰＭ側は、自交換機のＩＰアドレスと自交換機に帰属する基地局接続装置ＰＬＵ全てのＩＰアドレスを管理し、他方の加入者系移動交換機ＰＰＭに通常接続されている基地局接続装置ＰＬＵの呼処理トラフィックが自加入者系移動交換機ＰＰＭに収容替えされた時点から、その基地局接続装置ＰＬＵのＩＰアドレスに対する信号送信が発生することとなる。
【００２４】
図４に基地局接続装置ＰＬＵ及び加入者系移動交換機ＰＰＭにおけるＩＰアドレス管理の具体例を示す。加入者系移動交換機ＰＰＭ（１）に収容されている基地局接続装置ＰＬＵ０１（１）は、呼処理トラフィック収容替え前には、加入者系移動交換機ＰＰＭ（１）に収容時の自装置（ＰＰＭ（１）−ＰＬＵ０１（１））のＩＰアドレスと、接続相手先（ＰＰＭ（１））のＩＰアドレスとをＩＰアドレス表に保持する。また、呼処理トラフィック収容替え後には、加入者系移動交換機ＰＰＭ（２）に収容時の自装置（ＰＰＭ（２）−ＰＬＵ０１（１））のＩＰアドレスと、接続相手先（ＰＰＭ（２））のＩＰアドレスとをＩＰアドレス表に保持する。
【００２５】
また、加入者系移動交換機ＰＰＭ（１），ＰＰＭ（２）は、それぞれ、自交換機のＩＰアドレスと接続相手先の基地局接続装置ＰＬＵのＩＰアドレスとを保持するＩＰアドレス表を備え、更に、二重帰属先の加入者系移動交換機ＰＰＭ（２）のＩＰアドレス表には、呼処理トラフィック収容替え後に使用する二重帰属の基地局接続装置（ＰＰＭ（２）−ＰＬＵ０１（１））のＩＰアドレスを保持する。
【００２６】
また、二重帰属先の加入者系移動交換機ＰＰＭ（２）は、基地局接続装置ＰＬＵの実装表を備え、該基地局接続装置ＰＬＵの実装表には、最初から二重帰属の全基地局接続装置を実装させておくが、呼処理トラフィックの収容替えを契機に、収容替え対象の基地局接続装置ＰＬＵの呼処理トラフィックが発生することとなる。呼処理トラフィックの収容替えは、保守端末ＲＴからの指令により行う。
【００２７】
なお、二重帰属先の加入者系移動交換機ＰＰＭ（２）として、１つの加入者系移動交換機ＰＰＭに限る必要はなく、複数の加入者系移動交換機ＰＰＭの中から、例えば、最も呼処理トラフィックの少ない加入者系移動交換機ＰＰＭを、二重帰属先の加入者系移動交換機ＰＰＭとして選択する構成とすることができる。
【００２８】
加入者系移動交換機ＰＰＭは、通常、１つの加入者系移動交換局の局舎に複数収容されており、基地局接続装置ＰＬＵを２つの加入者系移動交換機ＰＰＭに二重帰属させる接続は、同一の局舎内のみの架設工事により行うことができる。更に、基地局接続装置ＰＬＵと加入者系移動交換機ＰＰＭとの接続は、前述のようにルータで接続する以外に、ハブを用いて接続する、或いはその他の専用の接続装置で接続する構成とすることができる。
【００２９】
図５に本発明による呼処理トラフィックの収容替えの経路変更の手順を示す。同図（ａ）に示すように、通常、第１の加入者系移動交換機ＰＰＭ（１）に収容されている基地局接続装置ＰＬＵ０１（１），ＰＬＵ０２（１），ＰＬＵ０３（１）の呼処理トラフィックは、上りルート及び下りルート共に、第１の加入者系移動交換機ＰＰＭ（１）を経由して第１の関門系交換機ＰＧＷ（１）から／へ渡される。
【００３０】
なお、ここで上りルートとは、基地局接続装置ＰＬＵ０１，ＰＬＵ０２，ＰＬＵ０３から関門系移動交換機ＰＧＷへの方向の経路、下りルートとは、関門系移動交換機ＰＧＷから基地局接続装置ＰＬＵ０１，ＰＬＵ０２，ＰＬＵ０３への方向の経路である。
【００３１】
第１の加入者系移動交換機ＰＰＭ（１）を経由する呼処理トラフィックの経路を切替え、第１の加入者系移動交換機ＰＰＭ（１）を経由する呼処理トラフィックをゼロにする際に、同図（ｂ）に示すように、第１の加入者系移動交換機ＰＰＭ（１）を経由する呼処理トラフィックの上りルートを、第２の加入者系移動交換機ＰＰＭ（２）に収容替えする。
【００３２】
これにより、移動機からの上り信号は加入者系移動交換機ＰＰＭ（２）を経由して流れる。また、上りルートの収容替えと同時に、収容替えされた基地局接続装置ＰＬＵ０１（１），ＰＬＵ０２（１），ＰＬＵ０３（１）に対する第１の加入者系移動交換機ＰＰＭ（１）経由の下り信号を、第１の加入者系移動交換機ＰＰＭ（１）→第２の加入者系移動交換機ＰＰＭ（２）→基地局接続装置ＰＬＵ０１（１），ＰＬＵ０２（１），ＰＬＵ０３（１）→移動機のルートに変更する。
【００３３】
全ての基地局接続装置ＰＬＵ０１（１），ＰＬＵ０２（１），ＰＬＵ０３（１）が第２の加入者系移動交換機ＰＰＭ（２）に収容された後、第１の加入者系移動交換機ＰＰＭ（１）経由の下り信号を、同図（ｃ）に示すように、第１の関門系移動交換機ＰＧＷ（１）→第２の加入者系移動交換機ＰＰＭ（２）→基地局接続装置ＰＬＵ０１（１），ＰＬＵ０２（１），ＰＬＵ０３（１）→移動機、のルートに変更する。これは、第１の加入者系移動交換機ＰＰＭ（１）の上位リンクであるＴＣＰコネクションの閉塞により実現する。
【００３４】
図６に本発明による呼処理トラフィックの収容替えのシーケンスを示す。基地局からの上りルートの呼処理トラフィックは、第１の基地局接続装置ＰＬＵ０１（１）→第１の加入者系移動交換機ＰＰＭ（１）を経由して関門系交換機に転送される（６−１，６−２，６−３）。
【００３５】
また、関門系交換機からの下りルートの呼処理トラフィックは、第１の加入者系移動交換機ＰＰＭ（１）→第１の基地局接続装置ＰＬＵ０１（１）の経路で基地局に転送される（６−４，６−５，６−６）。
【００３６】
ここで、保守端末から呼処理トラフィックの収容替えを行うために、第１の基地局接続装置ＰＬＵ０１（１）に対して、ＩＰアドレス切替えを行う（６−７）。第１の基地局接続装置ＰＬＵ０１（１）では、接続相手先のＩＰアドレスを第１の加入者系移動交換機ＰＰＭ（１）から第２の加入者系移動交換機ＰＰＭ（２）に切替える（６−８）。
【００３７】
基地局からの呼処理トラフィックは、基地局接続装置ＰＬＵ０１（１）→第２の加入者系移動交換機ＰＰＭ（２）を経由して、関門系交換機に転送される（６−９，６−１０，６−１１）。また、関門系交換機からの下りルートの呼処理トラフィックは、第１の加入者系移動交換機ＰＰＭ（１）→第２の加入者系移動交換機ＰＰＭ（２）→基地局接続装置ＰＬＵ０１（１）の経路で基地局に転送される（６−１２，６−１３，６−１４、６−１５）。
【００３８】
次に、保守端末から、下りルート切替えのために、第１の加入者系移動交換機ＰＰＭ（１）の上位リンクのＴＣＰコネクションの閉塞を行う（６−１６）。すると、基地局からの上りルートの呼処理トラフィックは、前述の場合と同様に、基地局接続装置ＰＬＵ０１（１）→第２の加入者系移動交換機ＰＰＭ（２）を経由して関門系交換機に渡され（６−１７，６−１８，６−１９）、関門系交換機からの下りルートの呼処理トラフィックは、第２の加入者系移動交換機ＰＰＭ（２）→基地局接続装置ＰＬＵ０１（１）の経路で基地局に転送される（６−２０，６−２１，６−２２）。
【００３９】
この呼処理トラフィック経路の切替えにより、第１の加入者系移動交換機ＰＰＭ（１）を通過する呼処理トラフィックがゼロとなる。この状態で第１の加入者系移動交換機ＰＰＭ  （１）のファイル更新を実施する。
【００４０】
ファイル更新の実施後、第１の加入者系移動交換機ＰＰＭ（１）の上位リンクのＴＣＰコネクションの閉塞解除を行って、下り信号のルートを、第１の関門系移動交換機ＰＧＷ（１）→第１の加入者系移動交換機ＰＰＭ（１）→第２の加入者系移動交換機ＰＰＭ（２）→基地局接続装置ＰＬＵ０１（１），ＰＬＵ０２（１），ＰＬＵ０３（１）→移動機のルートに変更し、下り信号の正常性を確認する。
【００４１】
収容替えした基地局接続装置ＰＬＵ０１（１），ＰＬＵ０２（１），ＰＬＵ０３（１）のうちの１つを、元の状態、即ち、第１の加入者系移動交換機ＰＰＭ（１）を経由する接続状態に戻して呼処理試験を実施し、上り信号の正常性を確認する。呼処理試験が正常であれば、残りの収容替えした基地局接続装置ＰＬＵ０１（１），ＰＬＵ０２（１），ＰＬＵ０３（１）の全てを元の状態に戻す。
【００４２】
上記の呼処理試験の結果が異常である場合、第１の加入者系移動交換機ＰＰＭ（１）の新ファイルを旧ファイルに戻して、第１の加入者系移動交換機ＰＰＭ（１）を旧ファイルでの動作に復帰させた後、基地局接続装置ＰＬＵ０１（１），ＰＬＵ０２（１），ＰＬＵ０３（１）を元の状態に戻す。
【００４３】
ここで、加入者系移動交換機ＰＰＭのファイル更新方法は従来と同様に、旧ファイルから新ファイルへの更新時に再開処理を伴う方式であってもよく、移動加入者に対するサービス中断を伴うことなく、ファイル更新を行うことができる。また、基地局の構成及び基地局と基地局接続装置ＰＬＵとの間の接続は既存のままでよく、変更の必要がない。
【００４４】
基地局接続装置ＰＬＵの収容替え時の初期設定は、装置のリセット（基地局−基地局接続装置ＰＬＵ間のＬＡＰＢリンクのリセット）を伴うものでよい。１つの基地局と基地局接続装置ＰＬＵとの間は、複数のＬＡＰＢ（Ｌｉｎｋ  Ａｃｃｅｓｓ  Ｐｒｏｃｅｄｕｒｅ−Ｂａｌａｎｃｅｄ）リンクで構成され、複数の基地局接続装置ＰＬＵに分散収容されているため、基地局接続装置ＰＬＵ単位の装置リセットを行っても、リンク全体としては切断（リセット）されることにはならない。
【００４５】
（付記１）  基地局接続装置を複数の加入者系移動交換機に二重帰属させ、ファイル更新対象の加入者系移動交換機を経由する呼処理トラフィックを、基地局接続装置の二重帰属先の他の加入者系移動交換機を経由する経路に切替えて転送させ、ファイル更新対象の加入者系移動交換機の呼処理トラフィックをゼロとした状態でファイル更新を行うことを特徴とする加入者系移動交換機のファイル更新方法。
（付記２）  前記呼処理トラフィックを、二重帰属先の他の加入者系移動交換機を経由する経路で転送する切り替えを、該呼処理トラフィックを配信するパケットの送信先ＩＰアドレスの変更により行うことを特徴とする付記１に記載の加入者系移動交換機のファイル更新方法。
（付記３）  前記加入者系移動交換機は、自交換機のＩＰアドレスと接続相手先の基地局接続装置のＩＰアドレスとをＩＰアドレス表に保持し、更に、前記二重帰属先の他の加入者系移動交換機のＩＰアドレス表には二重帰属の基地局接続装置のＩＰアドレスを保持し、該二重帰属の基地局接続装置のＩＰアドレスを用いて呼処理トラフィックの経路切り替えを行うことを特徴とする付記２に記載の加入者系移動交換機のファイル更新方法。
（付記４）  前記基地局接続装置と前記加入者系移動交換機とをルータを介して接続し、前記呼処理トラフィックを、基地局接続装置の二重帰属先の他の加入者系移動交換機を経由する経路に、ルータを介して切替えて転送させることを特徴とする請求項１乃至３の何れかに記載の加入者系移動交換機のファイル更新方法。
（付記５）  前記基地局接続装置と前記加入者系移動交換機とを専用の接続装置を介して接続し、前記呼処理トラフィックを、基地局接続装置の二重帰属先の他の加入者系移動交換機を経由する経路に、該専用の接続装置を介して切替えて転送させることを特徴とする請求項１乃至３の何れかに記載の加入者系移動交換機のファイル更新方法。
【００４６】
【発明の効果】
以上説明したように、本発明によれば、基地局接続装置を複数の加入者系移動交換機に二重帰属させ、ファイル更新対象の加入者系移動交換機を経由する呼処理トラフィックを、二重帰属先の他の加入者系移動交換機を経由する経路に切替えて転送し、ファイル更新対象の加入者系移動交換機の呼処理トラフィックをゼロとしてファイル更新を行うことにより、加入者に対するサービス中断を発生させることなく、呼処理トラフィックの高い昼間の時間帯等でも簡単な経路切り替え処理により、加入者系移動交換機のファイル更新を行うことが可能となる。
【図面の簡単な説明】
【図１】本発明による加入者系移動交換局と基地局との接続形態を示す図である。
【図２】本発明によるファイル更新時の呼処理トラフィックの転送経路を示す図である。
【図３】本発明によるファイル更新時の呼処理トラフィックの収容替えの実施例を示す図である。
【図４】基地局接続装置ＰＬＵ及び加入者系移動交換機ＰＰＭにおけるＩＰアドレス管理の具体例を示す図である。
【図５】本発明による呼処理トラフィックの収容替えの経路変更の手順を示す図である。
【図６】本発明による呼処理トラフィックの収容替えのシーケンスを示す図である。
【符号の説明】
１−１  加入者系移動交換局
１−１１，１−１１’  加入者系移動交換機
１−１２  基地局接続装置
１−２１，１−２２，１−２３  基地局
【図１】
2004282550.tif 000003
【図２】
2004282550.tif 000004
【図３】
2004282550.tif 000005
【図４】
2004282550.tif 000006
【図５】
2004282550.tif 000007
【図６】
2004282550.tif 000008